(57)【特許請求の範囲】
【請求項１】
車輪のついた台車１と、
該台車１の上部に設けられた一対の上下機構２により上下動する上部Ｄｅｃｋ３と、
前記上部Ｄｅｃｋ３の上部に取り付けられ要介護者を載置するコンベアベルト１０を持ち前記上部Ｄｅｃｋ３に対して左右に横移動可能な１つのコンベア４と、
を有し、
前記１つのコンベア４の左右への横移動と前記コンベアベルト１０の回転により要介護者を移載するための搬送車であって、
前記上部Ｄｅｃｋ３に、
出力ギア６を有し該出力ギア６により前記１つのコンベア４に取り付けられたラック８を駆動して前記１つのコンベア４を左右に横移動するための横移動用電動機５と、
前記上部Ｄｅｃｋ３に取り付けられた回転駆動用プーリー１２を駆動し、前記１つのコンベア４の移動方向の左右に取り付けられた一対の従動プーリー１５を第一のベルト１４を介して回転させるための回転用電動機１１と、
が取り付けられた移送装置付き搬送車において、
前記一対の従動プーリー１５の外側にあって、該従動プーリー１５の回転により回転する一対の中間ギア１９と、
該一対の中間ギア１９の外側にあって、該中間ギア１９の回転により回転し、前記１つのコンベア４に取り付けられた一対のコンベア回転軸プーリー１８と、
前記一対のコンベア回転軸プーリー１８に掛け渡たされ、前記コンベアベルト１０を直結して回転させるベルト２０と、
を備え、
前記１つのコンベア４の左右への横移動時に、前記１つのコンベア４の横移動に伴う前記第一のベルト１４による前記一対の従動プーリー１５の回転が相殺されるように、前記回転用電動機１１を前記横移動用電動機５と同期回転させることを特徴とする移載装置付き搬送車。」
【発明の詳細な説明】
【技術分野】
【０００１】本発明は病人等の要介護者の移載装置付き搬送車に関する。
【背景技術】
【０００２】従来、自分の力で動けない患者をベッドから手術台、手術台からベッド、ベッドから検査台、検査台からベッド等の移載する作業は、看護士や介護者４〜５人によって移動をしていた為、最も過酷な作業となっていた。また患者にとっても苦痛と不安を伴う作業となっており、患者への負担が大きかった。【０００３】この問題を解決する為に患者の移載を容易にする搬送車として特開平７−２４０１０号等が報告されているが、移載が片側にしか出来ない為、例えば搬送元のベッドと搬送先の診察台が同一の向きになっていないと患者の頭の位置が逆になる等の不具合が生じ、使用出来る場所が限られてしまうという問題が生じている。
【発明の開示】
【発明が解決しようとしている課題】
【０００４】しかし、左右両側とも移載可能にするには次のような問題がある。
通常、コンベア回転用の電動機はコンベアの下側に置かれ、横移動の際はコンベアと一緒に移動するが、両側に移動すると電動機がベッドに干渉しコンベアの移動距離が短くなり、患者がベッドの端にいない限り移載出来なくなる。
【０００５】電動機をコンベアの上部に装着すれば、前記問題は解決するが、電動機と減速機が移載と搬送作業の邪魔になり作業を容易にするという本来の目的を達成できない。
【０００６】本発明は、この課題に鑑みてなされたものであり、左右両側どちらの移載作業でも容易に行なえる移載装置付き搬送車を提供する事を目的とする。
【課題を解決する為の手段】
【０００７】本発明の移載装置付き搬送車は、以下の構成になっている。
車輪のついた台車１と、
該台車１の上部に設けられた一対の上下機構２により上下動する上部Ｄｅｃｋ３と、
前記上部Ｄｅｃｋ３の上部に取り付けられ要介護者を載置するコンベアベルト１０を持ち前記上部Ｄｅｃｋ３に対して左右に横移動可能な１つのコンベア４と、
を有し、
前記１つのコンベア４の左右への横移動と前記コンベアベルト１０の回転により要介護者を移載するための搬送車であって、
前記上部Ｄｅｃｋ３に、
出力ギア６を有し該出力ギア６により前記１つのコンベア４に取り付けられたラック８を駆動して前記１つのコンベア４を左右に横移動するための横移動用電動機５と、
前記上部Ｄｅｃｋ３に取り付けられた回転駆動用プーリー１２を駆動し、前記１つのコンベア４の移動方向の左右に取り付けられた一対の従動プーリー１５を第一のベルト１４を介して回転させるための回転用電動機１１と、
が取り付けられた移送装置付き搬送車において、
前記一対の従動プーリー１５の外側にあって、該従動プーリー１５の回転により回転する一対の中間ギア１９と、
該一対の中間ギア１９の外側にあって、該中間ギア１９の回転により回転し、前記１つのコンベア４に取り付けられた一対のコンベア回転軸プーリー１８と、
前記一対のコンベア回転軸プーリー１８に掛け渡たされ、前記コンベアベルト１０を直結して回転させるベルト２０と、
を備え、
前記１つのコンベア４の左右への横移動時に、前記１つのコンベア４の横移動に伴う前記第一のベルト１４による前記一対の従動プーリー１５の回転が相殺されるように、前記回転用電動機１１を前記横移動用電動機５と同期回転させる。
以上により、コンベアを移動する時にコンベアが回転しないように出来る。
【発明の効果】
【０００８】本発明は、以下に記載されるような効果を有する。
請求の範囲に記載の発明によれば、移載装置付き搬送車は左右どちら側からでも患者を移載できる。
【発明を実施する為の最良の形態】
【０００９】以下、移載装置付き搬送車にかかる発明に実施の形態について説明する。
最初に移載装置付き搬送車の構成について説明する。
【００１０】図１は本発明の移載装置付き搬送車の一例を示す全体図である。
移載装置付き搬送車は、車輪のついた台車１、一対の上下機構２、上部Ｄｅｃｋ３、およびコンベア４からなっている。
１６は患者が落ちにくくする保護バーである。
図２はコンベアが横に移動した状態を示している。また図示した方向だけでなく反対側にも同様に移動できる。
【００１１】コンベアは左右横移動と回転の２つの動きをする。
その駆動について説明する。
【００１２】横移動の機構について説明する。
図３はコンベアを横に移動する機構の図である。
５は左右横移動用電動機で、ここではギアヘッド付き図示しており、上部Ｄｅｃｋに取り付けられている。
６は左右横移動用電動機の出力ギア、７は上部Ｄｅｃｋに回転自在に取り付けられた中間ギアで、８のラックに噛み合っている。
９はコンベアベルトのプーリーで、１０はコンベアベルトである。
ラック８は図示していないガイドにより、上部Ｄｅｃｋに対して左右横移動可能に取り付けられている。
【００１３】図３−ａはホームポジションの位置関係を示している。
図３−ｂは左に移動したときの位置関係を示している。
【００１４】次に回転の機構について説明する。
図４はコンベアを回転させる機構の図で、コンベアが左に移動したときの位置関係を示してる。
１１は回転用電動機で、ここではギアヘッド付きで図示しており、上部Ｄｅｃｋに取り付けられている。
回転駆動用プーリー１２と従動プーリー１５に第一のアーム１３が回転自在にとりつけられている。
コンベア回転軸プーリー１８はコンベア４に回転自在に取り付けられている。
従動プーリー１５とコンベア回転軸プーリー１８に、第二のアーム１７が回転自在に取り付けられている。
回転駆動用プーリー１２と従動プーリー１５に第一のベルトが張られている。
従動プーリー１５とコンベア回転軸プーリー１８に、中間ギア１９が取り付けられている。
【００１５】回転用電動機１１が回転すると回転駆動用プーリー１２が回転し、第一のベルト１４を介して従動プーリー１５が回転する。
従動プーリー１５より中間ギア１９を介してコンベア回転軸プーリー１８が回転する。
コンベア回転軸プーリー１８の回転はベルト２０を介して直結されたコンベアベルト１０が回転する。
回転駆動用プーリー１２と従動プーリー１５は同じ径となっており、この間の減速比は１となっている。
【００１６】第一のベルト１４および中間ギア１９は、タイミングベルト、チェーン、ギアトレイン等に置き換えても良い。
【００１７】次にコンベアの動きについて説明する。
コンベアを横に移動させるとリンクを形成している第一のアーム１３と第二のアーム１７は各々回転駆動用プーリー１２、コンベア回転軸プーリー１８を回転中心として変位する。このとき回転用電動機１１が回転していなければ、回転駆動プーリー１２も回転しないが、回転用電動機１１が回転すると従動プーリー１５は回転駆動プーリー１２との減速比分回転する。しかし回転駆動用プーリー１２とコンベア回転軸プーリー１８が同一の径であるので、従動プーリー１５の回転は相殺される。したがって、回転用電動機１１が上部Ｄｅｃｋ３に取り付けられているにも関わらず、コンベアが横に移動してもコンベアが回転する事はない。またコンベア回転防止の別の方法として、回転用電動機１１と横移動用電動機５の減速比に応じ、同期回転する方法もある。
【実施例】
【００１８】次に移載装置付き搬送車の動きについて説明する。
（１）患者等が寝ている寝台の横に移載装置付き搬送車を運ぶ。
（２）上下機構２により寝台とコンベア４の高さを合わせる。
（３）保護柵１６を倒し、横移動用電動機５を動かすとともに回転用電動機１１を同期運転する。
（４）動力は出力ギア６、中間ギア７に伝わり、ラック８を横に移動させる。
（５）これによりコンベア本体が横に移動する。
（６）患者の肩・背中部の下側にコンベアを潜り込ませ載せる。
（７）コンベア回転用電動機１１を動かす。
（８）動力は回転駆動用プーリー１２からコンベア回転軸プーリー１８に伝わり、コンベアベルトが回転する。
（９）コンベア中央まで患者を移動させたあとに横移動電動機５を動かし、コンベアをホームポジションまで横移動させる。
〔１０〕保護棚を立てて患者を所定の場所へ搬送する。
患者を降ろすときは上記工程の（５）までは同じで、次にコンベアを回転させ患者を寝台および検査台等の目的場所に降ろし、コンベアをホームポジションまで横移動させる。
【産業上の利用可能性】
【００１９】以上の事から、本発明によればコンベアの横移動および回転の駆動源をコンベア本体に装着せずに済む事から、患者等の移載を左右両側どちらでも容易に行なえ、介助者の負担と患者の負担を大幅に軽減出来る。
従来、４人、５人の介助者による患者等の移載が、１、２人で出来る事で経済的効果がある。【００２０】本発明は上述の実施の形態に限らず本発明の要旨を逸脱することなく、その他種種の構成を探り得る事はもちろんである。
【図面の簡単な説明】
【００２１】
【図１】本発明の移載装置付き搬送車の一例を示す全体図である。
【図２】移載装置付き搬送車のコンベアが横に移動したときの図である。
【図３−ａ】コンベアを横移動させる駆動部の側面図である。
【図３−ｂ】コンベアを横移動させる駆動部の側面図である。
【図４−ａ】コンベアを回転させる駆動部の側面図である。
【図４−ｂ】コンベアを回転させる駆動部の側面図である。
【符号の説明】
【００２２】１・・・台車、２・・・上下機構、３・・・上部Ｄｅｃｋ、４・・・コンベア、５・・・横移動用電動機、６・・・出力ギア、７・・・中間ギア、８・・・ラック、９・・・コンベアベルトプーリー、１０・・・コンベアベルト、１１・・・回転用電動機、１２・・・回転駆動用プーリー、１３・・・第一のアーム、１４・・・第一のベルト、１５・・・従動プーリー、１６・・・保護柵、１７・・・第二のアーム、１８・・・コンベア回転軸プーリー、１９・・・中間ギア、２０・・・ベルト、
【図１】
0004892658.tif 000002
【図２】
0004892658.tif 000003
【図３−ａ】
0004892658.tif 000004
【図３−ｂ】
0004892658.tif 000005
【図４−ａ】
0004892658.tif 000006
【図４−ｂ】
0004892658.tif 000007